(57)【要約】【課題】両基板間に液晶を注入する際、製造効率の低下を防ぎながら、液晶とともに両基板間に混入されてしまう気泡の量を減少させることにより、液晶の配向不良に伴う表示不良を防止して、信頼性の向上を図る液晶装置の製造方法を提供する。【解決手段】マザー基板の表面上における各対向基板の各液晶注入口が形成された各第１の辺と交差する各第２の辺に臨むいずれかの位置に、ステップＳ１における真空引き後、真空下において液晶をそれぞれ滴下するステップＳ２と、液晶を、真空下において液晶の表面積を広げながら各液晶注入口までそれぞれ流動させるステップＳ３と、ステップＳ４において徐々に大気開放することにより、各液晶注入口まで流動された液晶を、各液晶注入口から、それぞれ対向するＴＦＴ基板と対向基板との間の空間にそれぞれ注入するステップＳ５と、を具備することを特徴とする。【選択図】図３
2008129117.tif 000002
【特許請求の範囲】
【請求項１】
第１の基板と、該第１の基板にシール材を介して対向する第２の基板との間に、液晶を注入する液晶装置の製造方法であって、
大板に複数構成された前記第１の基板に対して、前記シール材を、液晶注入口が形成されるよう一部を切り欠いて周状にそれぞれ塗布するシール材塗布工程と、
各前記シール材を介して、前記大板の一面上に、前記第１の基板毎に複数のチップ状の前記第２の基板を貼り合わせる第２の基板貼り合わせ工程と、
前記大板の前記一面上における各前記第２の基板の各前記液晶注入口が形成された各第１の辺と交差する各第２の辺に臨むいずれかの位置に、真空下において液晶をそれぞれ滴下する液晶滴下工程と、
前記液晶を、真空下において前記液晶の表面積を広げながら各前記液晶注入口までそれぞれ流動させる液晶流動工程と、
各前記液晶注入口まで流動された前記液晶を、各前記液晶注入口から、それぞれ対向する前記第１の基板と前記第２の基板との間にそれぞれ注入する液晶注入工程と、
を具備することを特徴とする液晶装置の製造方法。
【請求項２】
前記液晶滴下工程において、前記大板の前記一面上において前記液晶をそれぞれ滴下する位置は、隣り合う各前記液晶注入口から均等に最も離間する、各前記第２の基板の各前記第２の辺に臨む各中央領域であることを特徴とする請求項１に記載の液晶装置の製造方法。
【請求項３】
前記大板は、ステージに載置されており、
前記液晶流動工程は、前記ステージを傾けることにより、前記大板を傾けて行うことを特徴とする請求項１または２に記載の液晶装置の製造方法。
【請求項４】
前記液晶注入工程後に、各前記液晶注入口に対し、封止剤をそれぞれ塗布して、各前記液晶注入口を封止する封止剤塗布工程を具備していることを特徴とする請求項１〜３のいずれか１項に記載の液晶装置の製造方法。
【発明の詳細な説明】
【技術分野】
【０００１】
本発明は、第１の基板と、該第１の基板にシール材を介して対向する第２の基板との間に、液晶を注入する液晶装置の製造方法に関する。
【背景技術】
【０００２】
周知のように、例えば光透過型の液晶装置は、ガラス基板、石英基板等からなる２枚の基板間に液晶が介在されて構成されている。
【０００３】
また、液晶装置は、一方の基板に、例えば薄膜トランジスタ(Thin Film Transistor、以下、ＴＦＴと称す)等のスイッチング素子及び画素電極をマトリクス状に配置し、他方の基板に対向電極を配置して、両基板間に介在された液晶層による光学応答を画像信号に応じて変化させることで、画像表示を可能としている。
【０００４】
また、ＴＦＴを配置した第１の基板であるＴＦＴ基板と、このＴＦＴ基板に相対して配置される第２の基板である対向基板とは、別々に製造される。ここで、液晶装置を複数個製造する一例を挙げると、ＴＦＴ基板及び対向基板は、例えば各大板の石英基板上に、所定のパターンを有する半導体薄膜、絶縁性薄膜又は導電性薄膜を積層することによって複数構成される。半導体薄膜、絶縁性薄膜又は導電性薄膜は、層毎に各種膜の成膜工程とフォトリソグラフィ工程を繰り返すことによって形成される。
【０００５】
次いで、大板に複数構成された対向基板を、大板から複数のチップ状の対向基板に分断する。その後、例えば液晶封入方式により、ＴＦＴ基板と対向基板との間（以下、両基板間と称す）に液晶を介在させる場合には、ＴＦＴ基板が複数構成された大板における各ＴＦＴ基板上の表示領域外に、一部に切り欠きを有するよう略周状にシール材をそれぞれ塗布する。
【０００６】
次いで、ＴＦＴ基板が複数構成された大板の基板に対し、ＴＦＴ基板毎に、分断後の複数のチップ状の対向基板を、シール材を介してそれぞれ高精度（例えばアライメント誤差１μ以内）に貼り合わせる。その後、アライメントを施しながら、ＴＦＴ基板毎に対し、複数の対向基板を押圧した状態で、シール材を硬化させる。
【０００７】
次いで、真空下において、各シール材の切り欠き（以下、液晶注入口と称す）の近傍に、液晶をそれぞれ滴下し、その後徐々に大気開放を行うことにより、液晶を、複数の両基板間におけるシール材により平面視した状態で囲まれた領域にそれぞれ注入する。
【０００８】
その後、各液晶注入口を、封止剤によってそれぞれ封止し、該封止剤を熱等により硬化させた後、大板から、対向基板が貼着されたＴＦＴ基板をそれぞれチップ状に分断することにより、複数の液晶装置は製造される。
【０００９】
ところで、両基板間に注入する液晶中には、酸素や窒素等のガスが、数十ｐｐｍの濃度で溶存されている。よって、数十ｐｐｍの濃度のガスが溶存する液晶を、そのまま、両基板間に注入してしまうと、注入後、ガスに起因して両基板間に液晶とともに気泡が発生して混入してしまい、その結果、液晶に配向不良等が生じ、液晶装置に表示不良が発生してしまう場合があった。
【００１０】
よって、従来では、液晶を真空下において数時間放置して、ガスの溶存量を減少させた後、液晶を注入する手法を用いているが、この手法を用いると、製造効率が悪いといった問題があった。
【００１１】
このような問題に鑑み、特許文献１には、両基板間のシール材に、気泡をトラップする気泡トラップ部を形成することにより、ガスが溶存された液晶をそのまま、両基板間に注入することができる液晶装置の製造方法が開示されている。このような製造方法によれば、液晶とともに両基板間に混入してしまった気泡は、気泡トラップ部により、表示に影響のない数ｐｐｍの濃度まで減少させることができるため、製造効率を低下させずに、両基板間に液晶を注入することができる。
【特許文献１】特許第３０９９４７８号公報
【発明の開示】
【発明が解決しようとする課題】
【００１２】
しかしながら、特許文献１に開示された製造方法においては、シール材に気泡トラップを別途形成する工程を有するため、シール材塗布工程における工数が増大してしまい、やはり製造効率が低下してしまうといった問題があった。
【００１３】
本発明は上記問題点に着目してなされたものであり、両基板間に液晶を注入する際、製造効率の低下を防ぎながら、液晶とともに両基板間に混入されてしまう気泡の量を減少させることにより、液晶の配向不良に伴う表示不良を防止して、信頼性の向上を図る液晶装置の製造方法を提供することを目的とする。
【課題を解決するための手段】
【００１４】
上記目的を達成するために本発明に係る液晶装置の製造方法は、第１の基板と、該第１の基板にシール材を介して対向する第２の基板との間に、液晶を注入する液晶装置の製造方法であって、大板に複数構成された前記第１の基板に対して、前記シール材を、液晶注入口が形成されるよう一部を切り欠いて周状にそれぞれ塗布するシール材塗布工程と、各前記シール材を介して、前記大板の一面上に、前記第１の基板毎に複数のチップ状の前記第２の基板を貼り合わせる第２の基板貼り合わせ工程と、前記大板の前記一面上における各前記第２の基板の各前記液晶注入口が形成された各第１の辺と交差する各第２の辺に臨むいずれかの位置に、真空下において液晶をそれぞれ滴下する液晶滴下工程と、前記液晶を、真空下において前記液晶の表面積を広げながら各前記液晶注入口までそれぞれ流動させる液晶流動工程と、各前記液晶注入口まで流動された前記液晶を、各前記液晶注入口から、それぞれ対向する前記第１の基板と前記第２の基板との間にそれぞれ注入する液晶注入工程と、を具備することを特徴とする。
【００１５】
本発明によれば、液晶を大板の一面上において、各液晶注入口からそれぞれ離間した位置にそれぞれ滴下し、液晶の表面積を広げながら各液晶注入口までそれぞれ流動させて液晶中に溶存するガスを減少させた後に、液晶を各基板間にそれぞれ注入することにより、各基板間に液晶をそれぞれ注入する際、製造効率の低下を防ぎながら、各両基板間に液晶とともに混入されてしまう気泡の量を減少させることができる。よって、両基板間に液晶に溶存されたガスに起因して発生し混入された気泡による液晶の配向不良に伴う液晶装置の表示不良を防止することができるため、信頼性の向上を図った液晶装置の製造方法を提供することができるといった効果を有する。
【００１６】
また、前記液晶滴下工程において、前記大板の前記一面上において前記液晶をそれぞれ滴下する位置は、隣り合う各前記液晶注入口から均等に最も離間する、各前記第２の基板の各前記第２の辺に臨む各中央領域であることを特徴とする。
【００１７】
本発明によれば、液晶を大板の一面上において、隣り合う各液晶注入口からそれぞれ均等に最も離間した位置にそれぞれ滴下し、液晶の表面積を広げながら各液晶注入口までそれぞれ流動させて液晶中に溶存するガスを減少させた後に、液晶を各基板間にそれぞれ注入することにより、各基板間に液晶をそれぞれ注入する際、製造効率の低下を防ぎながら、両基板間に液晶とともに混入されてしまう気泡の量を確実に効率良く減少させることができる。よって、両基板間に液晶に溶存されたガスに起因して発生し混入された気泡による液晶の配向不良に伴う液晶装置の表示不良を確実に防止することができるため、信頼性の向上を図った液晶装置の製造方法を提供することができるといった効果を有する。
【００１８】
さらに、前記大板は、ステージに載置されており、前記液晶流動工程は、前記ステージを傾けることにより、前記大板を傾けて行うことを特徴とする。
【００１９】
本発明によれば、確実かつ短時間において、液晶を該液晶の表面積を広げながら各液晶注入口までそれぞれ流動させることができる液晶装置の製造方法を提供することができるといった効果を有する。
【００２０】
また、前記液晶注入工程後に、各前記液晶注入口に対し、封止剤をそれぞれ塗布して、各前記液晶注入口を封止する封止剤塗布工程を具備していることを特徴とする
本発明によれば、気泡が減少された液晶が各両基板間に注入された状態で、確実に、各液晶注入口を封止剤によってそれぞれ封止することができる液晶装置の製造方法を提供することができるといった効果を有する。
【発明を実施するための最良の形態】
【００２１】
以下、図面を参照にして本発明の実施の形態を説明する。尚、以下に示す実施の形態において液晶装置は、光透過型の液晶装置を例に挙げて説明する。
【００２２】
また、液晶装置において対向配置される一対の基板の内、一方の基板は、第１の基板である素子基板（以下、ＴＦＴ基板と称す）を、また他方の基板は、ＴＦＴ基板に対向する第２の基板である対向基板を例に挙げて説明する。
【００２３】
先ず、本実施の形態の製造方法により製造される液晶装置の全体の構成について説明する。図１は、本実施の形態の製造方法により製造される液晶装置の平面図、図２は、図１中のII-II線に沿って切断した断面図である。
【００２４】
図１、図２に示すように、液晶装置１００は、例えば、石英基板やガラス基板等を用いたＴＦＴ基板１０と、該ＴＦＴ基板１０に対向配置される、例えばガラス基板や石英基板等を用いた対向基板２０との間の内部空間２００（図６参照）に、液晶５０が介在されて構成される。対向配置されたＴＦＴ基板１０と対向基板２０とは、シール材５２によって貼り合わされている。
【００２５】
ＴＦＴ基板１０の液晶５０と接する領域に、液晶装置１００の表示領域４０を構成するＴＦＴ基板１０の表示領域１０ｈが構成されている。また、表面１０ｆ側における表示領域１０ｈに、画素を構成するとともに、後述する対向電極２１とともに液晶５０に駆動電圧を印加する画素電極９ａがマトリクス状に配置されている。
【００２６】
また、対向基板２０の表面２０ｆ側における液晶５０と接する領域に、液晶５０に画素電極９ａとともに駆動電圧を印加する対向電極２１が設けられており、対向電極２１の表示領域１０ｈに対向する領域に、液晶装置１００の表示領域４０を構成する対向基板２０の表示領域２０ｈが構成されている。
【００２７】
ＴＦＴ基板１０の画素電極９ａ上に、ラビング処理が施された配向膜１６が設けられており、また、対向基板２０上の全面に渡って形成された対向電極２１上にも、ラビング処理が施された配向膜２６が設けられている。各配向膜１６、２６は、例えば、ポリイミド膜等の透明な有機膜からなる。
【００２８】
また、ＴＦＴ基板１０の表示領域１０ｈにおいては、複数本の図示しない走査線と複数本の図示しないデータ線とが交差するように配線され、走査線とデータ線とで区画された領域に画素電極９ａがマトリクス状に配置される。そして、走査線とデータ線との各交差部分に対応して図示しない薄膜トランジスタ（ＴＦＴ）が設けられ、このＴＦＴ毎に画素電極９ａが電気的に接続されている。
【００２９】
ＴＦＴは走査線のＯＮ信号によってオンとなり、これにより、データ線に供給された画像信号が画素電極９ａに供給される。この画素電極９ａと対向基板２０に設けられた対向電極２１との間の電圧が液晶５０に印加される。
【００３０】
対向基板２０に、液晶装置１００の表示領域４０を規定する額縁としての遮光膜５３が設けられている。
【００３１】
液晶５０がＴＦＴ基板１０と対向基板２０との間の空間２００に、既知の液晶注入方式で注入される場合、シール材５２は、シール材５２の１辺の一部において欠落して塗布されている。
【００３２】
シール材５２の欠落した箇所は、該欠落した箇所から貼り合わされたＴＦＴ基板１０及び対向基板２０との間の空間２００において、平面視した状態でシール材５２により囲まれた領域に液晶５０を注入するための切り欠きである液晶注入口１０８を構成している。液晶注入口１０８は、液晶注入後、封止剤１０９によって封止される。
【００３３】
シール材５２の外側の領域に、ＴＦＴ基板１０の図示しないデータ線に画像信号を所定のタイミングで供給して該データ線を駆動するドライバであるデータ線駆動回路１０１と外部回路との接続のための外部接続端子１０２とが、ＴＦＴ基板１０の液晶注入口１０８が位置する１辺に沿って設けられている。尚、外部接続端子１０２は、対向基板２０に設けられていても構わない。
【００３４】
外部接続端子１０２に、液晶装置１００を、プロジェクタ等の電子機器と電気的に接続する、図示しない特定の長さを有する柔軟なフレキシブル配線基板（Flexible Printed Circuits、以下ＦＰＣと称す）の一端が接続される。ＦＰＣの他端がプロジェクタ等の電子機器に接続されることにより、液晶装置１００と電子機器とは電気的に接続される。
【００３５】
外部接続端子１０２が設けられたＴＦＴ基板１０の１辺に隣接する２辺に沿って、ＴＦＴ基板１０の図示しない走査線及びゲート電極に、走査信号を所定のタイミングで供給することにより、ゲート電極を駆動するドライバである走査線駆動回路１０３、１０４が設けられている。走査線駆動回路１０３、１０４は、シール材５２の内側の遮光膜５３に対向する位置において、ＴＦＴ基板１０上に形成されている。
【００３６】
また、ＴＦＴ基板１０上に、データ線駆動回路１０１、走査線駆動回路１０３、１０４、外部接続端子１０２及び上下導通端子１０７を接続する配線１０５が、遮光膜５３の３辺に対向して設けられている。
【００３７】
上下導通端子１０７は、シール材５２のコーナー部の４箇所のＴＦＴ基板１０上に形成されている。そして、ＴＦＴ基板１０と対向基板２０相互間に、下端が上下導通端子１０７に接触し上端が対向電極２１に接触する上下導通材１０６が設けられており、該上下導通材１０６によって、ＴＦＴ基板１０と対向基板２０との間で電気的な導通がとられている。
【００３８】
次に、上述したように構成された液晶装置１００の製造方法について、具体的には、ＴＦＴ基板１０と対向基板２０との間の空間２００に、液晶５０を介在させる工程について、図３〜図８を用いて説明する。
【００３９】
図３は、本実施の形態を示す液晶介在工程を示すフローチャート、図４は、大板に複数構成されたＴＦＴ基板毎に対向基板を貼着した状態を、液晶を滴下した状態で示す大板の平面図、図５は、図４中の一部を拡大して示した平面図、図６は、図５中の一部を拡大して示した斜視図、図７は、図６において滴下した液晶が、液晶注入口まで流動された状態を示す斜視図、図８は、図７において液晶注入口まで流動された液晶がＴＦＴ基板と対向基板との間の空間に注入された状態を示す斜視図である。
【００４０】
尚、以下に示す液晶装置の製造方法においては、ＴＦＴ基板１０と対向基板２０との間の空間２００に、液晶５０を介在させる工程以外は、周知であるため、その説明は省略するか、簡単に説明する。
【００４１】
先ず、液晶介在工程に先立って、図４に示すように、例えば石英から構成された大板（以下、マザー基板と称す）１１０に複数構成されたＴＦＴ基板１０に対し、それぞれ、図５に示すように、シール材５２を、外部接続端子１０２が形成されたＴＦＴ基板１０の１辺側に液晶注入口１０８が形成されるよう、一部を切り欠いて周状に塗布するシール材塗布工程を行う。
【００４２】
尚、マザー基板１１０には、該マザー基板１１０から、複数のＴＦＴ基板１０をチップ状に分断するために用いる、既知のスクライブライン１２０が、平面視した状態で格子状に形成されている。
【００４３】
また、マザー基板１１０に複数構成されたＴＦＴ基板１０には、上述したように、各種薄膜が、配向膜１６が成膜されるまで複数積層されている。また、ＴＦＴ基板１０には、上述した外部接続端子１０２等の各種端子や、走査線駆動回路１０３、１０４等の各種配線も形成されている。
【００４４】
次いで、図４に示すように、マザー基板１１０の一面である表面１１０ａ上に、ＴＦＴ基板１０毎に、配向膜２６まで各種薄膜が積層され、チップ状に分断された複数の対向基板２０を、シール材５２を介して貼り合わせる対向基板貼り合わせ工程を行う。その後、液晶介在工程を行う。
【００４５】
具体的には、先ず、図３のステップＳ１において、複数の対向基板２０がＴＦＴ基板１０毎に貼着されたマザー基板１１０を、図示しないチャンバ内のステージ６０に、図４に示すように載置し、その後、チャンバ内を真空引きすることにより、真空下に、マザー基板１１０を配置させる。
【００４６】
次いで、ステップＳ２において、図４に示すように、マザー基板１１０の表面１１０ａ上の複数の滴下位置に、真空下において液晶５０をそれぞれ滴下する液晶滴下工程を行う。具体的には、液晶滴下工程では、図５、図６に示すように、マザー基板１１０の表面１１０ａにおいて、対向基板２０の液晶注入口１０８が位置する第１の辺２０ｋと交差する第２の辺２０ｊ、２０ｉに臨むいずれかの位置、より具体的には、隣り合う複数の液晶注入口１０８から、シール材５２に沿った距離が均等の距離を以て離間する第２の辺２０ｊ、２０ｉの各中央領域２０ｃに、真空下において液晶５０を設定量それぞれ滴下する。
【００４７】
次いで、ステップＳ３において、真空下においてしばらくの間、放置することにより、液晶５０の流動性を用いて、図７に示すように、複数滴下された液晶５０を、該液晶５０の表面積を広げながら液晶注入口１０８までそれぞれ流動させる液晶流動工程を行う。尚、図７は、液晶５０を、Ｙ１方向に流動させる図面となっているが、実際は、Ｙ２方向にも流動し、図７において、Ｙ２方向側に位置する液晶注入口１０８まで流動する。
【００４８】
尚、液晶流動工程において、真空中で液晶５０の表面積が広げられることにより、液晶５０中に数十ｐｐｍの濃度で溶存されている酸素や窒素等のガスは、数ｐｐｍの濃度まで減少されることが、実験により分かっている。
【００４９】
次いで、ステップＳ４において徐々に大気開放を行い、続いてステップＳ５において、液晶注入口１０８まで流動された複数の液晶５０を、図８に示すように、複数のＴＦＴ基板１０と対向基板２０との間の空間２００に、それぞれ液晶注入口１０８の口切りまで注入する液晶注入工程を行う。尚、図示しないが、複数の液晶５０がＹ２方向にも流動されることにより、図８中Ｙ２方向側に位置する各空間２００にも、各液晶注入口１０８より液晶５０を注入する。
【００５０】
また、空間２００に注入される液晶５０は、流動によって真空中において表面積が広げられたことにより、溶存されているガスが減少されているため、空間２００に、液晶５０とともに混入してしまう、ガスに起因して発生した気泡の量が、液晶５０の配向に問題ないレベルまで減少されている。
【００５１】
その後、ステップＳ６において、各液晶注入口１０８に対して、上述した封止剤１０９をそれぞれ塗布して、図１に示すように、封止剤１０９により各液晶注入口１０８を封止する封止剤塗布工程を行う。
【００５２】
この際、液晶注入工程において、液晶５０が液晶注入口１０８に対し、口切りまで注入されていることから、大気開放した状態であっても、気泡が空間２００に入ってしまうことがない。
【００５３】
最後に、マザー基板１１０の表面１１０ａ上に残された液晶５０を、吸引等により除去し、その後、スクライブライン１２０に沿って対向基板２０が貼着されたＴＦＴ基板１０を、チップ状に分断することにより、複数の液晶装置１００は製造される。
【００５４】
このように、本実施の形態においては、マザー基板１１０に複数構成されたＴＦＴ基板１０と、該ＴＦＴ基板１０毎に貼着された複数の対向基板との間の各空間２００に、液晶５０をそれぞれ注入するに際し、真空下において液晶５０を、マザー基板１１０の表面１１０ａ上における複数の対向基板２０の第２の辺２０ｉ、２０ｊに臨むいずれかの位置にそれぞれ滴下し、真空下において液晶５０を、表面積を広げながら液晶注入口１０８までそれぞれ流動させた後、液晶注入口１０８から、各空間２００に、液晶５０をそれぞれ注入すると示した。
【００５５】
このことによれば、真空中において液晶５０の表面積を広げながら各液晶注入口１０８までそれぞれ流動させて、液晶５０中に溶存するガスの量を減少させた後に、液晶５０をそれぞれ各空間２００に注入することにより、従来のガスを除去する工程が不要となるため、各空間２００に液晶５０をそれぞれ注入する際、製造効率の低下を防ぎながら、各空間２００に液晶５０とともに混入されてしまうガスに起因して発生する気泡の量を減少させることができる。
【００５６】
よって、液晶５０に溶存されたガスに起因して発生し各空間２００に混入された気泡による液晶５０の配向不良に伴う液晶装置１００の表示不良を、特別なガス除去装置や設備を用いることなく防止することができるため、簡単な方法にて信頼性の向上を図ることができる液晶装置１００の製造方法を提供することができる。
【００５７】
また、本実施の形態においては、液晶滴下工程において、マザー基板１１０の表面１１０ａ上において、第２の辺２０ｉ、２０ｊにおける隣り合う各液晶注入口１０８から均等の距離を以て最も離間する位置に、液晶５０をそれぞれ滴下すると示した。
【００５８】
このことによれば、マザー基板１１０の表面１１０ａ上において、隣り合う各液晶注入口１０８からそれぞれ均等の距離を以て最も離間した位置にそれぞれ液晶５０を滴下し、液晶５０の表面積を可能な限り広げながら各液晶注入口１０８までそれぞれ流動させて、液晶５０中に溶存するガスの量を減少させた後に、液晶５０をそれぞれ各空間２００に注入することにより、各空間２００に液晶５０をそれぞれ注入する際、製造効率の低下を防ぎながら、各空間２００に液晶５０とともに混入されてしまう気泡の量を確実に効率良く減少させることができる。
【００５９】
よって、液晶５０に溶存されたガスに起因して発生し各空間２００に混入された気泡による液晶５０の配向不良に伴う液晶装置１００の表示不良を、特別なガス除去装置や設備を用いることなく確実に防止することができるため、信頼性の向上を図った液晶装置１００の製造方法を提供することができる。
【００６０】
さらに、本実施の形態においては、各空間２００に液晶５０をそれぞれ注入した後、各液晶注入口１０８を、封止剤１０９で封止する封止剤塗布工程を有していると示した。
【００６１】
このことによれば、気泡が減少された液晶５０が各空間２００にそれぞれ注入された状態で、確実に、各液晶注入口１０８を封止剤１０９によってそれぞれ封止することができる液晶装置１００の製造方法を提供することができる。
【００６２】
尚、以下、変形例を示す。
【００６３】
本実施の形態においては、液晶滴下工程において、マザー基板１１０の表面１１０ａ上における対向基板２０の第２の辺２０ｉ、２０ｊに臨むいずれかの位置に、液晶５０を滴下すると示した。
【００６４】
これに限らず、液晶注入口１０８以外の領域であれば、対向基板２０の第１の辺２０ｋに臨む位置に液晶５０を滴下しても構わないし、さらには、対向基板２０上に液晶５０を滴下しても構わない。即ち、液晶注入口１０８から離間した位置であれば、どこに液晶５０を滴下しても構わない。
【００６５】
このことによれば、本実施の形態における対向基板２０の第２の辺２０ｉ、２０ｊの中央領域２０ｃに液晶５０を滴下した場合よりは、液晶５０の表面積の広がりが小さくなるため、液晶５０に溶存するガスを減少させる効果が劣ることになるが、本実施の形態と略同様の効果を得ることができる。
【００６６】
また、本実施の形態においては、液晶流動工程において、液晶５０の滴下後、真空下においてしばらくの間、マザー基板１１０を放置することにより、液晶５０を、各液晶注入口１０８に流動させると示した。
【００６７】
これに限らず、マザー基板１１０が載置されるステージ６０（図４参照）を、各液晶注入口１０８の方向、具体的にはＹ１方向に傾けて、即ちマザー基板１１０を傾けて、滴下した液晶５０を積極的に、各液晶注入口１０８に流動させても構わない。
【００６８】
このことによれば、確実かつ短時間において、液晶５０を該液晶５０の表面積を広げながら各液晶注入口１０８までそれぞれ流動させることができる液晶装置１００の製造方法を提供することができる
【産業上の利用可能性】
【００６９】
また、液晶装置は、上述の図示例にのみ限定されるものではなく、本発明の要旨を逸脱しない範囲内において種々変更を加え得ることは勿論である。例えば、上述した液晶装置は、ＴＦＴ（薄膜トランジスタ）等のアクティブ素子（能動素子）を用いたアクティブマトリクス方式の液晶表示モジュールを例に挙げて説明したが、これに限らず、ＴＦＤ（薄膜ダイオード）等のアクティブ素子（能動素子）を用いたアクティブマトリクス方式の液晶表示モジュールであっても構わない。
【図面の簡単な説明】
【００７０】
【図１】本実施の形態の製造方法により製造される液晶装置の平面図。
【図２】図２は、図１中のII-II線に沿って切断した断面図。
【図３】本実施の形態を示す液晶介在工程を示すフローチャート。
【図４】大板に複数構成されたＴＦＴ基板毎に対向基板を貼着した状態を、液晶を滴下した状態で示す大板の平面図。
【図５】図４中の一部を拡大して示した平面図。
【図６】図５中の一部を拡大して示した斜視図。
【図７】図６において滴下した液晶が、液晶注入口まで流動された状態を示す斜視図。
【図８】図７において液晶注入口まで流動された液晶がＴＦＴ基板と対向基板との間の空間に注入された状態を示す斜視図。
【符号の説明】
【００７１】
１０…ＴＦＴ基板、２０…対向基板、２０ｋ…第１の辺、２０ｉ、２０ｊ…第２の辺、２０ｃ…中央領域、５０…液晶、５２…シール材、６０…ステージ、１００…液晶装置、１０８…液晶注入口、１０９…封止剤、１１０…マザー基板、１１０ａ…マザー基板の表面、２００…ＴＦＴ基板と対向基板との間の内部空間。
【図１】
2008129117.tif 000003
【図２】
2008129117.tif 000004
【図３】
2008129117.tif 000005
【図４】
2008129117.tif 000006
【図５】
2008129117.tif 000007
【図６】
2008129117.tif 000008
【図７】
2008129117.tif 000009
【図８】
2008129117.tif 000010